(57)【要約】本発明は、高速移動ウェブの形成および表面の微細構造を撮像して、解析するか、不純物およびスポットを統計学的に解析する方法に関する。電子マトリックス・カメラを使用して、少なくとも５ｍ／秒で移動するウェブの影像を撮影し、ウェブの静的ピクセル・サイズと移動によって生じる動的撮像の不正確さとの合計が、移動方向にてせいぜい約０．６ｍｍであるよう、カメラの電子シャッタの露出時間を調節する。露出時間は２５μ秒より短い。
2004522974.tif 000002
【特許請求の範囲】
【請求項１】
表面の微細構造を撮像および解析する目的で、または不純物およびスポットの統計学的計算のために、高速移動ウェブを撮像する方法で、影像の露光時間が２５μ秒より短くなるよう、影像形成のためにマトリックス・カメラを使用することを特徴とする方法。
【請求項２】
不純物およびスポットの統計学的計算のために、ウェブの透過照明または表面反射を使用することにより、カメラがコマ止めを行なわれることを特徴とする、請求項１に記載の方法。
【請求項３】
ウェブ表面の微細構造を撮像し、解析するために、表面反射を使用することにより、カメラがコマ止めを行なわれ、反射光が、表面の方向から約５〜１５°、好ましくは５〜１０°偏差して表面に到達することを特徴とする、請求項１に記載の方法。
【請求項４】
マトリックス・カメラを使用して、少なくとも５ｍ／秒で移動するウェブの影像を撮影し、ウェブの静的ピクセル・サイズと移動によって生じる動的撮像の不正確さとの合計が、移動方向にてせいぜい約０．６ｍｍであるよう、カメラの電子シャッタの露出時間を調節することを特徴とする、請求項１から３のいずれか１項に記載の方法。
【請求項５】
ピクセルの静止精度が、少なくとも動的精度と同じ桁であり、つまり露出時間中にウェブが移動する距離が、移動方向でピクセルの寸法とせいぜい同じ桁であることを特徴とする、請求項４に記載の方法。
【請求項６】
ウェブの移動速度が２０ｍ／秒を超え、露出時間が１／８００００秒以下であることを特徴とする、請求項４または５に記載の方法。
【発明の詳細な説明】
【技術分野】
【０００１】
本発明は、移動の十分な鮮明さを提供するため、高速電子シャッタを使用して高速移動ウェブ（ｆｉｒｓｔ  ｍｏｖｉｎｇ  ｗｅｂ）をマトリックス撮像する方法（ｍａｔｒｉｘ  ｉｍａｇｉｎｇ  ｍｅｔｈｏｄ）に関する。
【０００２】
本発明の分野は、ウェブ様製品の品質制御およびプロセス監視に関する。監視される典型的ウェブは、例えば紙、ボード、不織布またはガラス繊維壁紙である。ここで解決する問題は、製品および／または品質制御が必要なため、リアルタイムで高速移動ウェブを撮像することに関する。本発明の場合、このように必要とされているのは、不純物およびスポット（ｓｐｏｔｓ）の統計学的計算または微細構造表面の撮像および解析である。
【背景技術】
【０００３】
生産中にウェブを撮像することが好ましいのは、撮像が品質管理の効率的な方法だからである。所望の撮像方法は、通常、背景照明で撮像するか、表面反射を使用して撮像する。背景照明または表面反射により、紙などの製造中の材料にある不純物およびスポットを撮像することができる。ウェブと光源の間に拡散器を使用することができ、それによって光の分散を均一にし、光線の所望の方向分散を獲得することができる。反射光、つまりウェブの面からの照明は、表面の微細構造など、特に表面の視覚的性質に関する情報を提供する。
【０００４】
単なる視覚的パターン化に加え、影像解析（ｉｍａｇｅ  ａｎａｌｙｓｉｓ）には通常、数学的解析、特にフーリエ変換または同様の関数変換を使用した周波数解析を使用する。この方法で、不純物およびスポットの統計学的発生率および／または表面の微細構造に関する情報が獲得される。数学的解析にとって必須のものは、撮像の十分な２次元精度である。
【０００５】
既知の撮像テクノロジは、毎秒約４００００行の撮像速度を有するライン・カメラで表される。さらに、直径０．１ｍｍのレーザ・ビームが使用されており、その透過光または反射光の強度変動から、周波数解析によって必要な情報が収集される。しかし、これは１ピクセルの面積を上回ってウェブの横方向での情報を提供せず、したがって２次元解析または撮像に影像を使用することができない。
【０００６】
通常のビデオ・カメラでは、例えば毎秒２５メートルで移動するウェブの十分に正確な影像を獲得することが不可能である。それは露出時間中の移動が大きすぎるからである。シャッタを有する電子カメラは、高速ウェブのリアルタイム撮像では機能していない。カメラの最短露出時間でも、最近まで通常は１秒の約１／１００００で、この目的のためには長すぎた。
【０００７】
ウェブの速度が例えば毎秒２５メートルである場合、これは１／１００００秒の露出時間の間に約２．５ｍｍ移動する。つまり、移動方向の最大精度は２．５ｍｍである。解析または監視に使用する影像で許容される最大の不正確さはせいぜい約１ｍｍで、通常は約０．５〜０．６ｍｍであるので、最近まで、撮像のために十分な精度で電子マトリックス・カメラを使用することは不可能であった。
【発明の開示】
【発明が解決しようとする課題】
【０００８】
本発明に関する方法では、撮像に必要な移動方向での十分な精度に対する要件は、カメラ・シャッタとして極めて高速の電子シャッタを使用することにより解決される。発売されたばかりの新しい市販シャッタの最短露出時間は通常、１／１０００００秒のオーダーであり、したがって２５ｍ／秒で移動するウェブには、露出時間中に約０．２５ｍｍ移動する時間しかない。この例のケースでは、カメラのピクセルのサイズを０．２５ｍｍと仮定する。影像精度は、ほぼピクセルのサイズと、移動による不正確さとの合計と近似することができるので、このケースでは、０．２５ｍｍのピクセル・サイズで、０．５ｍｍという必要影像精度が獲得される。
【実施例】
【０００９】
本発明の特徴は、添付請求の範囲で開示される。本発明に関する方法を、添付平面略図によって以下で例示する。
【００１０】
図に示す例では、ウェブ３を撮像するため、高速電子シャッタを備えたカメラ１を取り付ける。例えば１／１０００００秒の露出時間を使用することが好ましく、それは２５ｍ／秒を超える速度で移動するウェブの十分に鮮明な影像を与える。最短露出時間は約２５μ秒であり、この場合、本発明の目的のために十分に鮮明な影像は、５ｍ／秒という高速で移動するウェブでも獲得される。プロセスの監視にとって十分になるよう、撮像の繰り返し速度を、所望に応じて調節することができる。数学的計算の場合は、瞬時に処理できるより高速で影像を取得することもでき、最大速度は、カメラや、影像を送信するため使用されるデータ転送や、使用される記録媒体の最高速度である。オペレータが監視する影像の繰り返し速度は、監視に適するよう選択することができる。
【００１１】
使用するピクセルの好ましいサイズは、移動によって生じる精度の低下よりそれほど小さくない。実際には、露出時間中にウェブの移動する距離は、移動方向におけるピクセルの寸法とせいぜい同じ桁である。これは、潜在的情報が失われないよう、十分な精度を保証するためである。選択したピクセルが、移動によって生じるぶれより非常に小さい場合、使用可能な情報の全てを効率的に使用できるわけではない。移動によるぶれを除き、マトリックス・カメラを使用すると、休止中にウェブの同様の影像も撮影することができる。既知のライン・カメラの適用では、移動ウェブが必要である。高速シャッタを有するマトリックス・カメラを使用することは、それによって提供される解析の可能性がさらに多様になるため、特に少なくとも５ｍ／秒で移動するウェブの解析では、従来のウェブ速度でも有利である。
【００１２】
影像情報は、通常、既知の信号処理方法によって事後処理され、それによって不純物およびスポットを統計的に計算するか、表面微細構造に関する情報を取得することができる。表面の微細構造撮像では、光は、表面の方向からわずか約５から１０°の偏差で表面に到達しなければならない（図３）。このような場合、微細構造により、光に配向された各突出壁は、光から離れて降下する表面よりよく照明される。次に、カメラは、明暗の変化に基づいて表面の微細構造に関する情報を受信する。
【００１３】
マシン・オペレータの影像は、このようなカメラ影像か、またはディジタル処理した影像でよく、これで所望の情報を強調することができる。影像は、プロセスのさらに長期の監視および解析のために、記憶されてもよいことは明白である。
【００１４】
１つまたは複数のカメラおよび照明機器は、ウェブ付近の固定点に固定するか、ウェブに対して横方向に移動する測定キャリッジに固定することができる。同様に、測定は、横や機械方向でウェブの数箇所にて実行することができる。
【００１５】
ウェブの表面上の影像の場は、例えば機械方向で１５０ｍｍ、横方向で２００ｍｍでもよい。ピクセルのサイズは、例えば０．２５×０．２５ｍｍでもよい。低速のウェブ処理マシンでは、露出時間は例えば１／４００００秒又はそれ以下である。ウェブの移動速度が２０ｍ／秒を超える、例えば約２５ｍ／秒以上の高速マシンでは、露出時間は１／８００００秒以下、例えば１／１０００００秒またはそれ以下である。
【００１６】
不純物およびスポットを計算するためのウェブの照明は、透過照明または表面反射として実行することができる。この場合、表面反射による照明は、図３の場合よりウェブの面に対してはるかに直角に実行しなければならない。透過照明は、ピンホール（数／面積）の計算に使用される。小さいピンホールでも、ピクセル内に強力な閃光を生成する。
【００１７】
不純物およびスポットの計算はＴＡＰＰＩ（パルプ製紙業界技術協会）規定に従って実行される。つまり、不純物およびスポットを最初にサイズ・カテゴリ（３〜７のサイズ・カテゴリ）に分類し、次に各サイズ・カテゴリの面積当たりの絶対数を決定する。これによって、面積全体のパーセンテージとして不純物およびスポットの面積も与えられる。
【図面の簡単な説明】
【００１８】
【図１】カメラ１と解析および／または統計的計算に使用するコンピュータ５との接続、およびそのディスプレイ６を示す。
【図２】光源２がウェブ３のカメラ１とは異なる側にある、透過光を使用する場合の本発明による構成を示す。拡散光が望ましい場合は、拡散器４を追加的に使用する。
【図３】反射光を使用して表面の微細構造を撮像する本発明による構成を示す。光源２は、ウェブ３のカメラ１と同じ側にあり、光がウェブ３の表面に到達して、表面の方向から約５〜１５°、好ましくは５〜１０°偏差するような方法で配置される。
【図１】
2004522974.tif 000003
【図２】
2004522974.tif 000004
【図３】
2004522974.tif 000005
【国際公開パンフレット】
2004522974.tif 000006
2004522974.tif 000007
2004522974.tif 000008
2004522974.tif 000009
2004522974.tif 000010
2004522974.tif 000011
2004522974.tif 000012
2004522974.tif 000013
2004522974.tif 000014
2004522974.tif 000015
2004522974.tif 000016
【国際調査報告】
2004522974.tif 000017
2004522974.tif 000018
2004522974.tif 000019